(57)【要約】【課題】ホログラムを矩形状の記録媒体に記録し、少量の枚数を作成する用途に適し、小型化に有利な記録装置を提供する。【解決手段】光ヘッド５を、周部に螺旋状の駆動溝が形成され、かつモータ１７にて回転駆動される駆動軸１６により、矩形状の記録媒体１に形成された直線状の記録用トラック１５の形成方向（情報媒体１の短辺方向）と直交する方向に直線移動させる。また、記録媒体１は、搬送台４に固定し、記録媒体駆動手段により光ヘッド５の移動方向に対して直交する方向に直線移動させる。これにより、搬送台４を一方向の往復移動のみにし、光ヘッド５を前記トラック１５の形成方向と直交する方向にのみ移動させる構成とする。【選択図】図４
2007017487.tif 000002
【特許請求の範囲】
【請求項１】
透明基板層およびレーザ光照射によって反射率が変化する材料からなる層を有し、複数の直線状の記録用トラックが設けられた矩形状の記録媒体と、該記録媒体を往復直線移動させる記録媒体駆動手段と、レーザ光源から出射されたレーザ光を前記直線状の記録用トラック上に集光する記録光学系と、ホログラムデータを入力して前記レーザ光源を駆動する光源駆動手段とを備え、
前記記録媒体の前記直線状の記録用トラックを該記録媒体の短辺方向に形成し、前記記録媒体駆動手段により前記記録媒体を該記録媒体の前記短辺方向に往復直線移動させ、前記記録光学系を前記記録媒体が移動する方向に対して直交する方向に直線移動させ、前記レーザ光によって前記記録媒体の前記直線状の記録用トラックにホログラム画像を記録することを特徴とする記録装置。
【請求項２】
前記記録媒体駆動手段を、回転駆動源からの回転力をラックとピニオンにて直線運動に変換する構成にしたことを特徴とする請求項１記載の記録装置。
【請求項３】
前記記録媒体駆動手段を、回転駆動源からの回転力をクランク機構にて直線運動に変換する構成にしたことを特徴とする請求項１記載の記録装置。
【請求項４】
前記記録媒体駆動手段をリニアモータにより構成したことを特徴とする請求項１記載の記録装置。
【請求項５】
前記記録媒体の直線移動と共に一定間隔でパルス信号を発生させる手段を備え、前記パルス信号を前記光源駆動手段へ入力して、前記ホログラムデータのクロック信号として使用することを特徴とする請求項１記載の記録装置。
【請求項６】
前記記録媒体の直線移動と共に一定間隔でパルス信号を発生させる手段を備え、前記パルス信号を前記記録媒体駆動手段に入力し、前記記録媒体を一定速度で移動させるための制御信号として使用することを特徴とする請求項１記載の記録装置。
【請求項７】
前記記録媒体の直線移動と共に一定間隔でパルス信号を発生させる手段を備え、前記パルス信号を前記光源駆動手段へ入力して、前記ホログラムデータのクロック信号として使用すると共に、前記パルス信号を前記記録媒体駆動手段に入力し、前記記録媒体を一定速度で移動させるための制御信号として使用することを特徴とする請求項１記載の記録装置。
【請求項８】
入力した前記ホログラムデータを逆順に出力する手段と、入力した前記ホログラムデータの正順出力と逆順出力とを切り換える手段とを備え、前記記録媒体における一往復の移動時に、２本の前記直線状の記録用トラックに対するホログラム画像の記録を可能にしたことを特徴とする請求項１記載の記録装置。
【請求項９】
請求項１〜８いずれか１項記載の記録装置に使用される記録媒体であって、複数の直線状の記録用トラックを設けた透明基板層と、色素材料層と、レーザ光を反射する反射層とを有する矩形状であることを特徴とする記録媒体。
【請求項１０】
請求項１〜８いずれか１項記載の記録装置に使用される記録媒体であって、複数の直線状の記録用トラックを設けた透明基板層と、相変化材料層と、レーザ光を反射する反射層とを有する矩形状であることを特徴とする記録媒体。
【発明の詳細な説明】
【技術分野】
【０００１】
本発明は、ホログラムを記録する記録装置および記録媒体に関するものである。
【背景技術】
【０００２】
ホログラムパターンを記録するための装置としては、従来、数多くの提案がなされ、実施されてきている。
【０００３】
例えば、特許文献１には、レーザ光を用いた光ディスクシステムを使用して、計算機ホログラムのデータパターンを光ディスクに直接記録するようにした構成が記載されている。
【０００４】
特許文献２には、光カードのトラックガイド（データを記録するトラックを識別するために、隣接トラックとの間に形成された隆起した部分）にホログラム画像パターンを記録するようにした構成が記載されている。
【０００５】
特許文献３には、光導電性層上に熱可塑性樹脂層を形成したサーモプラスチックを帯電させ、計算機ホログラム情報によって変調された光を照射して、ホログラム情報を電荷分布としてサーモプラスチック上に形成し、サーモプラスチックを加熱、冷却して、ホログラム情報をサーモプラスチックに固定するようにした構成が記載されている。
【特許文献１】特許第３１７５１５３号公報
【特許文献２】特開２０００−１３２８７２号公報
【特許文献３】特開平１０−２０７３２７号公報
【発明の開示】
【発明が解決しようとする課題】
【０００６】
しかしながら、前記従来の技術において、特許文献１では、人が目で見る画像記録媒体として円形のディスクは適さない。
【０００７】
また、特許文献２では、ホログラム画像パターンを記録した光カードのトラックガイドは、大量生産を前提とした生産設備で製造されるため、１枚などの少量の枚数を作成する用途には適さない。また、トラックが光カードの長辺方向に形成されているので、光カードを往復直線移動させる場合、その移動量が大きいため、装置の小型化には不利である。
【０００８】
また、特許文献３では、記録媒体が矩形であり、少量の枚数を作成する用途には適しているが、ハロゲンランプ，レンズ，縮小光学系，帯電手段，加熱手段などの大型機構が必要であり、装置の小型化には不利である。
【０００９】
本発明は、前記従来技術に鑑み、ホログラムを矩形状の記録媒体に記録し、少量の枚数を作成する用途に適し、小型化に有利な記録装置、および、その記録装置に用いられる記録媒体を提供することを目的とする。
【課題を解決するための手段】
【００１０】
前記目的を達成するため、請求項１に記載の発明は、透明基板層およびレーザ光照射によって反射率が変化する材料からなる層を有し、複数の直線状の記録用トラックが設けられた矩形状の記録媒体と、該記録媒体を往復直線移動させる記録媒体駆動手段と、レーザ光源から出射されたレーザ光を前記直線状の記録用トラック上に集光する記録光学系と、ホログラムデータを入力して前記レーザ光源を駆動する光源駆動手段とを備え、前記記録媒体の前記直線状の記録用トラックを該記録媒体の短辺方向に形成し、前記記録媒体駆動手段により前記記録媒体を該記録媒体の前記短辺方向に往復直線移動させ、前記記録光学系を前記記録媒体が移動する方向に対して直交する方向に直線移動させ、前記レーザ光によって前記記録媒体の前記直線状の記録用トラックにホログラム画像を記録することを特徴とし、この構成により、少量の枚数を作成する用途に適し、小型化に有利なホログラム画像の記録装置を提供することができる。
【００１１】
請求項２に記載の発明は、請求項１記載の記録装置において、記録媒体駆動手段を、回転駆動源からの回転力をラックとピニオンにて直線運動に変換する構成にしたことを特徴とし、この構成によって、小型の記録装置を提供することができる。
【００１２】
請求項３に記載の発明は、請求項１記載の記録装置において、記録媒体駆動手段を、回転駆動源からの回転力をクランク機構にて直線運動に変換する構成にしたことを特徴とし、この構成によって、簡潔な構成の記録装置を提供することができる。
【００１３】
請求項４に記載の発明は、請求項１記載の記録装置において、記録媒体駆動手段をリニアモータにより構成したことを特徴とし、この構成によって、小型の記録装置を提供することができる。
【００１４】
請求項５に記載の発明は、請求項１記載の記録装置において、記録媒体の直線移動と共に一定間隔でパルス信号を発生させる手段を備え、パルス信号を光源駆動手段へ入力して、ホログラムデータのクロック信号として使用することを特徴とし、この構成によって、記録媒体の直線移動を一定速度にする必要がなく、簡潔な構成の記録装置を提供することができる。
【００１５】
請求項６に記載の発明は、請求項１記載の記録装置において、記録媒体の直線移動と共に一定間隔でパルス信号を発生させる手段を備え、パルス信号を記録媒体駆動手段に入力し、記録媒体を一定速度で移動させるための制御信号として使用することを特徴とし、この構成によって、ホログラムデータを一定周波数のクロックで出力できる簡潔な構成の記録装置を提供することができる
請求項７に記載の発明は、請求項１記載の記録装置において、記録媒体の直線移動と共に一定間隔でパルス信号を発生させる手段を備え、パルス信号を光源駆動手段へ入力して、ホログラムデータのクロック信号として使用すると共に、パルス信号を記録媒体駆動手段に入力し、記録媒体を一定速度で移動させるための制御信号として使用することを特徴とし、この構成によって、記録トラックの両端近傍における画像歪の除去が可能な記録装置を提供することができる。
【００１６】
請求項８に記載の発明は、請求項１記載の記録装置において、入力した前記ホログラムデータを逆順に出力する手段と、入力した前記ホログラムデータの正順出力と逆順出力とを切り換える手段とを備え、記録媒体における一往復の移動時に、２本の前記直線状の記録用トラックに対するホログラム画像の記録を可能にしたことを特徴とし、この構成によって、高速記録が可能な記録装置を提供することができる。
【００１７】
請求項９に記載の発明は、請求項１〜８いずれか１項記載の記録装置に使用される記録媒体であって、複数の直線状の記録用トラックを設けた透明基板層と、色素材料層と、レーザ光を反射する反射層とを有する矩形状であることを特徴とし、この構成によって、レーザ光を直線状の記録用トラックに集光してホログラムデータを記録する、書換え不可の記録媒体を提供することができる。
【００１８】
請求項１０に記載の発明は、請求項１〜８いずれか１項記載の記録装置に使用される記録媒体であって、複数の直線状の記録用トラックを設けた透明基板層と、相変化材料層と、レーザ光を反射する反射層とを有する矩形状であることを特徴とし、この構成によって、レーザ光を直線状の記録用トラックに集光してホログラムデータを記録し、かつ書換え可能な記録媒体を提供することができる。
【発明の効果】
【００１９】
本発明によれば、少量の枚数を作成する用途に適し、簡潔で小型化に有利なホログラム画像の記録装置、およびその記録装置に適用される記録媒体を提供することができる。
【発明を実施するための最良の形態】
【００２０】
以下、本発明の実施の形態を図面に基づいて説明する。
【００２１】
図１は本発明に係る記録装置の実施形態における概略構成を説明するためのブロック図であり、１は後で詳述する矩形状の記録媒体、２は記録媒体１を往復直線移動させる記録媒体駆動手段であって、本例ではモータ３と搬送台４からなる。５はレーザ光源から出射されたレーザ光を記録媒体１上に集光する記録光学系を搭載する光ヘッド、６はホログラムデータ（計算機ホログラムデータ）を受けて光ヘッド５のレーザ光源を駆動する光源駆動手段であるレーザ駆動回路である。
【００２２】
７は光ヘッド５におけるフォーカシング，トラッキングなどの制御系のサーボ回路、８は光ヘッド５における各種検知信号を演算処理してサーボ回路７に制御信号を出力する演算増幅回路、９はレーザ駆動回路６に出力されるホログラムデータのバッファメモリである。
【００２３】
本実施形態において、基本的には特許文献１に記載されているように、光ディスクにレーザ光を照射してホログラムデータを記録するのと同様の原理により、ホログラム画像を記録媒体１に記録する。本実施形態の記録媒体１は、円形のディスクではなく、後述するように矩形のものである。記録媒体１には、従来の光ディスクと同様に記録用のトラックが形成されているが、螺旋状ではなく、複数の直線状の記録用トラックが並行して形成されている。また、記録媒体１は回転させずに、記録媒体駆動手段２によって往復直線移動させる。
【００２４】
図１において、ホログラムデータは、記録媒体１に連続して画像データを記録するために、連続出力できるようにバッファメモリ９に格納される。バッファメモリ９から出力されたホログラムデータをレーザ駆動回路６に入力し、ホログラムデータに応じてレーザ駆動回路６で光ヘッド５内のレーザ・ダイオードを変調して発光させ、記録媒体１にホログラムデータを記録する。光ヘッド５では、記録用トラック上にレーザ光を照射するために、その反射光を受光し、光電変換した信号を演算増幅回路８で演算増幅し、サーボ回路７に入力して、光ヘッド５のフォーカスサーボ，トラッキングサーボを行う。
【００２５】
図２は本実施形態で使用される記録媒体の概略構成を説明するための一部断面図である。
【００２６】
記録媒体１は、従来の光ディスクと同様に、ポリカーボネートなどによる透明基板１１に、色素材料や相変化材料などのレーザ光照射によって反射率が変化することによってデータを記録することができる記録層１２、および反射層１３，カバー基板１４から構成されている。さらに光ディスクと同様に、記録層１２，反射層１３には記録用トラックとして凹凸が形成され、その凹部あるいは凸部をレーザ光Ｌで照射してデータを記録するような構成になっている。ここでは、図２の凸部をトラック１５と呼ぶことにする。
【００２７】
図３は記録媒体１上に形成されたトラック１５の状態を示す平面図であり、図３に示すように、記録媒体１の短辺方向に直線状にトラック１５を形成することにより、記録媒体１を往復直線移動させるときの移動量を小さくすることができ、装置の小型化に有利である。
【００２８】
図４は本実施形態のヘッド移動駆動手段の構成を示す斜視図であり、光ヘッド５は２本の軸で支持され、一方の軸は、周部に螺旋状の駆動溝が形成され、モータ１７にて回転駆動される駆動軸１６、他方の軸は光ヘッド５の直線移動を案内する案内軸１８であって、モータ１７により駆動軸１６を周方向に回転させることによって、光ヘッド５を直線移動、すなわち、トラック１５の形成方向（情報媒体１の短辺方向）と直交する方向に移動駆動するようになっている。
【００２９】
一方、記録媒体１は搬送台４に固定され、光ヘッド５の移動方向に対して直交する方向に直線移動する。このように搬送台４を一方向の往復移動のみにし、光ヘッド５をトラック１５の形成方向と直交する方向にのみ移動させる構成にしたことにより、それぞれの移動機構を簡素化することができ、装置の小型化に有利である。
【００３０】
なお、図４において、光ヘッド５を駆動，案内する２本の軸１６，１８やモータ１７を固定する機構、および記録媒体１を搬送台４に固定する機構などは図示を省略した。
【００３１】
前記実施形態１の構成により、少量の枚数の矩形状の記録媒体１に、ホログラム画像を記録することができる。さらに、記録媒体１上のトラック１５が記録媒体１の短辺方向に形成されており、これにより記録媒体１の移動量が少なくなるため、小型化に有利である。
【００３２】
なお、記録媒体１において、図２に示す記録層１２に色素材料を使用している場合には、書換え不可能なホログラム画像の記録媒体となり、また、記録層１２に相変化材料を使用している場合には、書換え可能なホログラム画像の記録媒体にすることができる。いずれの構成の記録媒体１であっても使用することができる。
【００３３】
図５〜図７は本実施形態における記録媒体駆動手段の具体例を示す斜視図である。
【００３４】
図５に示す構成例は、ラック２１を搬送台４の側部に設け、ピニオン２２をモータ３の出力軸３ａに設け、モータ３の回転を直線運動に変換し、モータ３を正転／逆転させることにより記録媒体１を往復直線移動する構成になっている。このような簡単な構成にすることにより装置の小型化を図っている。
【００３５】
図６に示す構成例は、モータ３の出力軸３ａに設けた回転円盤２３にクランク腕２４の一端を設け、このクランク腕２４の他端を搬送台４の端部に連結することによってクランク機構を構成し、モータ３の回転を直線運動に変換して搬送台４を直線移動させている。モータ３は一方向に回転するだけでよいため、電子制御を簡素な構成にすることができる。
【００３６】
図７に示す構成例は、公知のリニアモータを使用して搬送台４を直線移動させる構成である。すなわち、搬送台４の移動面に並行に複数の電磁コイル２５を設置し、これらの電磁コイル２５と対面する搬送台４の面（図７では搬送台４の下面）にＮ極とＳ極が交互に配置された磁極板２６を設置する。各電磁コイル２５に位相のずれた交流電流を流すことによって、各電磁コイル２５に生成される磁極が、電磁コイル２５を設置した平面上を移動するように変化する。この磁極の変化に対して搬送台４の磁極板２６が吸引・反発を繰り返すことにより、搬送台４が直線移動することになる。これにより、図５，図６に示すような円筒形のモータやそれに付随する機構部品を省くことができ、装置の小型化の面において、さらに有利になる。
【００３７】
往復直線移動する記録媒体１にホログラム画像データを記録するときは、画像の個々の画素データを等間隔に記録媒体１に記録するために、記録媒体１の移動と個々の画素データの出力タイミングを合わせる必要がある。この方法には二通りがある。１つは記録媒体１の移動に合わせて画像データを出力する方法であり、もう１つは記録媒体１を一定の速度で移動させ、画像データは一定のタイミングで出力する方法である。
【００３８】
このためには、両方法に共通して記録媒体１の移動状況の検出が必要である。図８，図９はこの検出方法を示す説明図である。
【００３９】
図８に示す例は光学的な移動状況検出方法であって、図８（ａ）に示すように、搬送台４の１辺に等間隔の光の反射率を変化させる縞模様２７を印刷し、この縞模様２７に発光素子２８から光を照射し、その反射光を受光素子２９で受光して光電変換し、搬送台４（記録媒体１）の直線移動と共に、図８（ｂ）に示すような一定間隔のパルス信号を出力させる構成になっている。
【００４０】
図８に示す例では、印刷した縞模様２７の反射光を受光する構成にしたが、等間隔のスリット（隙間）を設けて、その透過光を受光するような構成にすることも考えられる。
【００４１】
図９に示す例は磁気的な移動状況検出方法であって、図９（ａ）に示すように、搬送台４の１辺に等間隔にＮ極とＳ極の磁極３０を交互に設置し、搬送台４の移動に伴う磁界の変化を電磁コイル３１で検出し、搬送台４（記録媒体１）の直線移動と共に、図９（ｂ）に示すような一定間隔のパルス信号を出力させる構成になっている。
【００４２】
図８，図９に示す構成により、搬送台４の移動状況を検出し、パルス信号として出力するセンサ３２ａ，３２ｂが実現する。
【００４３】
図１０は本実施形態において前記センサ３２ａ，３２ｂを使用して記録媒体１の移動に合わせて画像データを出力するようにした構成を説明するためのブロック図である。なお、以下の説明において、既に説明した部材に対応する部材には同一符号を付して詳しい説明は省略する。
【００４４】
図１０に示す構成は、図１にて説明した構成とは、センサ３２ａあるいはセンサ３２ｂからの出力信号を入力し、画像データのクロックを生成するクロック生成回路３３を追加した点において異なる。
【００４５】
図１０において、クロック生成回路３３は、センサ３２ａ（３２ｂ）から出力されるパルス信号を２値化して、デジタル信号のクロック信号としてバッファメモリ９に入力し、このクロック信号に同期してバッファメモリ９から画像（画素）データを出力する。これにより、記録媒体１の直線移動を一定速度にする必要がなく、構成を簡潔にすることができる。
【００４６】
なお、センサ３２ａ（３２ｂ）から出力されるパルス信号の周期が、画素データ周期の複数倍のときは、クロック生成回路３３にＰＬＬ（Phase Locked Loop）回路を内蔵し、パルス信号に同期した画素データ周期のクロック信号を生成してもよい。
【００４７】
図１１は本実施形態において記録媒体を一定の速度で移動させ、画像データを一定のタイミングで出力するようにした構成を説明するためのブロック図である。
【００４８】
図１にて説明した構成とは、センサ３２ａあるいはセンサ３２ｂからの出力信号を入力し、センサ３２ａ（３２ｂ）から出力されるパルス信号を２値化して、デジタル信号のクロック信号を出力するデジタル・クロック生成回路３４と、このクロック信号が一定周期になるように搬送台４を移動させるモータ３を制御するモータ・サーボ回路３５とを追加した点において異なる。
【００４９】
図１１において、搬送台４を移動させると、その移動速度に応じた周期のパルス信号が出力され、デジタル・クロック生成回路３４によりデジタル信号のクロック信号がモータ・サーボ回路３５に入力される。このクロック信号が所定の周期になるように、モータ・サーボ回路３５でモータ３を制御すると、搬送台４（記録媒体１）が一定速度で移動する。これにより、記録媒体１の直線移動が一定速度になるので、ホログラムデータを一定周波数のクロックで出力することができ、画像データの出力回路の構成を簡素化することができる。
【００５０】
搬送台４を一定速度で移動するようにサーボ制御を行っても、光ヘッド５がトラック１５の両端近傍（記録媒体１の両長辺側）に位置するときは、搬送台４が減速して停止した後、逆方向に移動する必要がある。そのため、その位置では一定周期のクロックでホログラムデータを出力すると、搬送台４が減速するため画素密度が高くなり、記録された画像に歪が発生する。この問題を解決するために、搬送台４が減速するときに、ホログラムデータのクロックも搬送台４の動きに合わせてクロックの周波数を下げる（周期を長くする）ようにした構成例を図１２に示す。
【００５１】
図１２に示すブロック図の構成例において、図１１にて説明した構成とは、センサ３２ａあるいはセンサ３２ｂからの出力信号を入力し、画像データのクロックを生成する画像データ用クロック生成回路３６を追加した点において異なる。
【００５２】
画像データ用クロック生成回路３６は、センサ３２ａあるいは３２ｂから出力されるパルス信号を２値化して、デジタル信号のクロック信号としてバッファメモリ９に入力し、このクロック信号に同期してバッファメモリ９から画像（画素）データを出力する。これにより、搬送台４が一定速度で移動しているときは、一定周期のクロック信号を出力し、トラック１５の両端で搬送台４が減速するときは、それに応じてクロック周期が長いクロック信号を出力することができる。
【００５３】
なお、センサ３２ａ（３２ｂ）から出力されるパルス信号の周期が、画素データ周期の複数倍のときには、画像データ用クロック生成回路３６にＰＬＬ回路を内蔵し、パルス信号に同期した画素データ周期のクロック信号を生成するようにしてもよい。これにより、トラック両端近傍における画像の歪を除去することができる。
【００５４】
また、本実施形態において、記録媒体１にホログラムデータを記録するときの記録方向は、図１３（ａ）に示すように、各トラック１５に対して１方向に記録してもよいが、図１３（ｂ）に示すように、１トラック置きに逆方向に記録することにより記録時間を半減することができる。この場合、図１，図１０〜図１２の構成例において、バッファメモリ９からデータを出力するときに、１トラック置きにデータを逆順に出力するようにする。これにより、記録媒体１の一往復の移動時に、２本のトラックに対してホログラム画像を記録することが可能になる。この結果、記録時間を半減させることができる。
【産業上の利用可能性】
【００５５】
本発明は、ホログラムを矩形状の記録媒体に記録し、少量の枚数を作成する用途に適し、小型化が要求される記録装置、および、その記録装置に使用される記録媒体に実施して有効である。
【図面の簡単な説明】
【００５６】
【図１】本発明に係る記録装置の実施形態における概略構成を説明するためのブロック図
【図２】本実施形態で使用される記録媒体の概略構成を説明するための一部断面図
【図３】本実施形態における記録媒体上に形成されたトラックの状態を示す平面図
【図４】本実施形態におけるヘッド移動駆動手段の構成を示す斜視図
【図５】本実施形態における記録媒体駆動手段の具体例を示す斜視図
【図６】本実施形態における記録媒体駆動手段の具体例を示す斜視図
【図７】本実施形態における記録媒体駆動手段の具体例を示す斜視図
【図８】本実施形態における記録媒体の移動状況検出の説明図
【図９】本実施形態における記録媒体の移動状況検出の説明図
【図１０】本実施形態においてセンサを使用して記録媒体の移動に合わせて画像データを出力する構成を説明するためのブロック図
【図１１】本実施形態において記録媒体を一定の速度で移動させ、画像データを一定のタイミングで出力する構成を説明するためのブロック図
【図１２】本実施形態においてホログラムデータのクロックを搬送台の動きに合わせるようにする構成を説明するためのブロック図
【図１３】本実施形態において記録媒体に対するホログラムデータ記録の説明図
【符号の説明】
【００５７】
１  記録媒体
２  記録媒体駆動手段
３  モータ
４  搬送台
５  光ヘッド
６  レーザ駆動回路
７  サーボ回路
８  演算増幅回路
９  バッファメモリ
１１  透明基板
１２  記録層
１３  反射層
１４  カバー層
１５  トラック
１６  駆動軸
１７  モータ
２１  ラック
２２  ピニオン
２３  回転円盤
２４  クランク軸
２５  電磁コイル
２６  磁極板
２７  縞模様
２８  発光素子
２９  受光素子
３０  磁極
３１  コイル
３２ａ，３２ｂ  センサ
３３  クロック生成回路
３４  デジタル・クロック生成回路
３５  モータ・サーボ回路
３６  画像データ用クロック生成回路
【図１】
2007017487.tif 000003
【図２】
2007017487.tif 000004
【図３】
2007017487.tif 000005
【図４】
2007017487.tif 000006
【図５】
2007017487.tif 000007
【図６】
2007017487.tif 000008
【図７】
2007017487.tif 000009
【図８】
2007017487.tif 000010
【図９】
2007017487.tif 000011
【図１０】
2007017487.tif 000012
【図１１】
2007017487.tif 000013
【図１２】
2007017487.tif 000014
【図１３】
2007017487.tif 000015